(57)【特許請求の範囲】
【請求項１】
コンテンツを出力させるコンテンツ出力手段と、
人の存在状態を検出する人状態検出手段と、
周辺環境の撮影画像の中から、１番多い色及び２番目に多い色を取得し、予め用意した複数種類の切替効果パターンに夫々設けた２色の配色エリアに、前記取得された１番多い色に対する補色と２番目に多い色に対する補色を夫々設定することで複数種類の演出画像を生成する演出画像生成手段と、
前記コンテンツ出力手段により出力させるコンテンツを切り替える際に、前記人状態検出手段による人の存在状態の検出結果に基づいて、注目度の順位が設定された前記複数種類の演出画像の中から前記検出結果に応じた順位の演出画像を選択し、前記選択した演出画像を前記コンテンツ出力手段に出力させる出力制御手段と、を備え
前記出力制御手段は、
前記演出画像生成手段により生成された複数の演出画像についてその注目度の高さを前記１番多い色に対する補色の割合が高い順に順位を設定する注目順位設定手段を有する、
ことを特徴とする情報出力装置。
【請求項２】
前記コンテンツ出力手段により出力させるコンテンツを切り替える際に、前記演出画像生成手段により生成された複数の演出画像の中から前記人状態検出手段による人の存在状態の検出結果に応じた演出画像を選択して表示させる、
ことを特徴とする請求項１に記載の情報出力装置。
【請求項３】
前記コンテンツ出力手段により出力させるコンテンツを切り替える際に、前記演出画像生成手段により生成された複数の演出画像の中から前記人状態検出手段により検出された人の存在度合いが少ないほど前記注目順位設定手段により設定された注目度の順位が高い演出画像を選択して表示させる、
ことを特徴とする請求項１又は２に記載の情報出力装置。
【請求項４】
前記人状態検出手段は、人の存在度合いを当該人の居ない時間の長さとして検出する無人時間検出手段であって、
前記出力制御手段は、
前記コンテンツ出力手段により出力させるコンテンツを切り替える際に、前記演出画像生成手段により生成された複数の演出画像の中から前記無人時間検出手段により検出された人の居ない時間の長さが長いほど前記注目順位設定手段により設定された注目度の順位が高い演出画像を選択して表示させる、
ことを特徴とする請求項３に記載の情報出力装置。
【請求項５】
前記人状態検出手段は、人の存在度合いを当該人の存在する距離として検出する人存在距離検出手段であって、
前記出力制御手段は、
前記コンテンツ出力手段により出力させるコンテンツを切り替える際に、前記演出画像生成手段により生成された複数の演出画像の中から前記人存在距離検出手段により検出された人の存在する距離が遠いほど前記注目順位設定手段により設定された注目度の順位が高い演出画像を選択して表示させる、
ことを特徴とする請求項３に記載の情報出力装置。
【請求項６】
複数のコンテンツ切替演出を記憶する記憶手段と、
を備え、
前記出力制御手段は、前記人状態検出手段による人の存在状態の検出結果に基づいて、前記複数のコンテンツ切替演出の中から選択する、
ことを特徴とする請求項１に記載の情報出力装置。
【請求項７】
出力手段と人の存在状態を検出する人状態検出手段とを備えた電子機器のコンピュータを制御するための方法であって、
人の存在状態を検出する人状態検出ステップと、
周辺環境の撮影画像の中から、１番多い色及び２番目に多い色を取得し、予め用意した複数種類の切替効果パターンに夫々設けた２色の配色エリアに、前記取得された１番多い色に対する補色と２番目に多い色に対する補色を夫々設定することで複数種類の演出画像を生成する演出画像生成ステップと、
前記出力手段により出力させるコンテンツを切り替える際に、前記人状態検出ステップによる人の存在状態の検出結果に基づいて、注目度の順位が設定された前記複数種類の演出画像の中から前記検出結果に応じた順位の演出画像を選択し、前記選択した演出画像を前記出力手段に出力させる出力制御ステップと、を含み、
前記出力制御ステップは、
前記演出画像生成ステップにより生成された複数の演出画像についてその注目度の高さを前記１番多い色に対する補色の割合が高い順に順位を設定する注目順位設定ステップを有する、
ことを特徴とする情報出力方法。
【請求項８】
出力手段と人の存在状態を検出する人状態検出手段とを備えた電子機器のコンピュータを制御するためのプログラムであって、
前記コンピュータを、
周辺環境の撮影画像の中から、１番多い色及び２番目に多い色を取得し、予め用意した複数種類の切替効果パターンに夫々設けた２色の配色エリアに、前記取得された１番多い色に対する補色と２番目に多い色に対する補色を夫々設定することで複数種類の演出画像を生成する演出画像生成手段、
前記出力手段により出力させるコンテンツを切り替える際に、前記人状態検出手段による人の存在状態の検出結果に基づいて、注目度の順位が設定された前記複数種類の演出画像の中から前記検出結果に応じた順位の演出画像を選択し、前記選択した演出画像を前記出力手段に出力させる出力制御手段、として機能させ、
前記出力制御手段は、
前記演出画像生成手段により生成された複数の演出画像についてその注目度の高さを前記１番多い色に対する補色の割合が高い順に順位を設定する注目順位設定手段の機能を有する、
ことを特徴とするプログラム。
【発明の詳細な説明】
【技術分野】
【０００１】
本発明は、広告等の情報を表示するための情報出力装置、情報出力方法、およびその制御プログラムに関する。
【背景技術】
【０００２】
近年、デジタルサイネージと呼ばれる電子広告装置が一般に利用されている。
【０００３】
この電子広告装置は、例えば催事場や企業の玄関口、店頭等において、予め制作された広告画像をスクリーンに投影し、その映像を見た視聴者に情報を伝えるものである。
【０００４】
従来、例えば広告塔となる人物の輪郭の形状に合わせて形成されたスクリーン対して、当該人物が話す広告画像を投影することで、視聴者に与える印象を高めることのできる映像出力装置が考えられている（例えば、特許文献１参照。）。
【先行技術文献】
【特許文献】
【０００５】
【特許文献１】特開２０１１−１５０２２１号公報
【発明の概要】
【発明が解決しようとする課題】
【０００６】
前記従来の電子広告装置は、広告映像を単に一方的に出力するだけである。
【０００７】
また、前記従来の映像出力装置では、広告塔となる人物の輪郭に合わせたスクリーンに当該人物による広告画像を投影することで、視聴者の興味を引くことができるが、一旦慣れた視聴者の注目度を上げることができない。
【０００８】
本発明は、このような課題に鑑みなされたもので、視聴者の注目度を向上させることが可能になる情報出力装置、情報出力方法、およびその制御プログラムを提供することを目的とする。
【課題を解決するための手段】
【０００９】
本発明に係る情報出力装置は、
コンテンツを出力させるコンテンツ出力手段と、
人の存在状態を検出する人状態検出手段と、
周辺環境の撮影画像の中から、１番多い色及び２番目に多い色を取得し、予め用意した複数種類の切替効果パターンに夫々設けた２色の配色エリアに、前記取得された１番多い色に対する補色と２番目に多い色に対する補色を夫々設定することで複数種類の演出画像を生成する演出画像生成手段と、
前記コンテンツ出力手段により出力させるコンテンツを切り替える際に、前記人状態検出手段による人の存在状態の検出結果に基づいて、注目度の順位が設定された前記複数種類の演出画像の中から前記検出結果に応じた順位の演出画像を選択し、前記選択した演出画像を前記コンテンツ出力手段に出力させる出力制御手段と、を備え
前記出力制御手段は、
前記演出画像生成手段により生成された複数の演出画像についてその注目度の高さを前記１番多い色に対する補色の割合が高い順に順位を設定する注目順位設定手段を有する、
ことを特徴としている。
【発明の効果】
【００１０】
本発明によれば、視聴者の注目度を向上させることが可能になる。
【図面の簡単な説明】
【００１１】
【図１】本発明の情報出力装置の実施形態に係る電子広告装置１０の外観構成を示す正面斜視図。
【図２】前記電子広告装置１０の電子回路の構成を示すブロック図。
【図３】前記電子広告装置１０の広告動画再生定義記憶領域２２ｃに記憶される広告動画再生順定義フォーマットを示す図。
【図４】前記電子広告装置１０の広告再生機能に含まれる切替演出効果準備処理に従った切替演出効果画像の生成手順（一例）を示す図。
【図５】前記電子広告装置１０の演出効果切替定義記憶領域２２ｇに記憶される切替演出効果画像切替定義フォーマットを示す図。
【図６】前記電子広告装置１０による広告動画の再生の流れを示す図。
【図７】前記電子公告装置１０の広告再生処理を示すフローチャート。
【図８】前記電子公告装置１０の広告再生処理に伴う切替演出効果準備処理を示すフローチャート。
【図９】前記電子公告装置１０の広告再生処理に伴う切替演出効果ＩＤ取得処理を示すフローチャート。
【発明を実施するための形態】
【００１２】
以下図面により本発明の実施の形態について説明する。
【００１３】
図１は、本発明の情報出力装置の実施形態に係る電子広告装置１０の外観構成を示す正面斜視図である。
【００１４】
この電子広告装置１０は、例えば縦横高さが３０〜４０ｃｍ程度の置き型の装置本体１１を有し、本体上部に背面投影型のスクリーンである表示部１２が立設され、当該表示部１２に対して本体後部に内蔵された光学式の投影装置１３から広告等の画像が投影される。
【００１５】
前記装置本体１１の前面側には、電源の投入／遮断や広告再生の指定／開始／終了等を指示するＨ／Ｗ（ハードウエア）キー１４、本体周辺３６０°の環境を撮影するカメラ１５、本体前方Ｆ、つまり前記表示部１２による画像の表示方向に居る人の数およびその人までの距離を検出する人感センサ１６が設けられる。
【００１６】
図２は、前記電子広告装置１０の電子回路の構成を示すブロック図である。
【００１７】
この電子広告装置１０の電子回路には、マイクロコンピュータであるＣＰＵ２１が備えられる。
【００１８】
このＣＰＵ２１は、フラッシュＲＯＭ等の記憶部２２に予め記憶された装置制御プログラム２２ａ、あるいはメモリカードなどの外部記録媒体２３から記録媒体読取部２４を介して前記記憶装置２２に読み込まれた装置制御プログラム２２ａ、あるいは通信ネットワーク上のプログラムサーバ（図示せず）から通信部２５を介して前記記憶装置２２にダウンロードされた装置制御プログラム２２ａに従い回路各部の動作を制御し、広告再生機能など、本電子広告装置１０に備えられた各種の機能を実行する。
【００１９】
前記ＣＰＵ２１には、前記表示部１２を備えた投影装置１３、前記Ｈ／Ｗキー１４、カメラ１５、人感センサ１６からなる入力部２６、前記記憶部２２、前記記録媒体読取部２４、前記通信部２５などが接続されている。
【００２０】
前記記憶部２２は、前記ＣＰＵ２１の処理動作に必要な各種のデータを記憶する。この記憶部２２には、広告動画記憶領域２２ｂ、広告動画再生定義記憶領域２２ｃ、広告動画集客率記憶領域２２ｄ、切替演出効果画像記憶領域２２ｅ、無操作時間記憶領域２２ｆ、演出効果切替定義記憶領域２２ｇ、演出効果画像再生回数記憶領域２２ｈ等が確保される。
【００２１】
前記広告動画記憶領域２２ｂには、予め制作された複数の広告動画のデータがそのｉｄ番号と広告名に対応付けられて記憶される。
【００２２】
図３は、前記電子広告装置１０の広告動画再生定義記憶領域２２ｃに記憶される広告動画再生順定義フォーマットを示す図である。
【００２３】
前記広告動画再生定義記憶領域２２ｃには、本電子広告装置１０の広告再生機能により前記広告動画記憶領域２２ｂに記憶されている複数の広告動画の再生順を定義するフォーマットが、再生動画ＩＤと次の再生動作ＩＤを各対応するｉｄ番号で示して記憶される。
【００２４】
前記広告動画集客率記憶領域２２ｄには、前記広告動画記憶領域２２ｂに記憶されている複数の広告動画の各ｉｄ番号に対応付けて、当該広告動画の再生期間に対応する集客率が記憶される。この広告動画の集客率は、当該広告動画の再生期間中において、前記カメラ１５により撮影された周辺環境の画像から認識される人物と前記人感センサ１６により検出された人の数や距離に基づいて、本装置１０の周辺の一定範囲内に居た１０秒毎の人の数の延べ人数として計算される。
【００２５】
前記切替演出効果画像記憶領域２２ｅには、前記広告動画記憶領域２２ｂに記憶された各広告動画の再生切り替え時に挿入して再生される複数の切替演出効果画像のデータが、その目立つ順に設定されたＩＤ番号と対応付けられて記憶される。この複数の切替演出効果画像は、本装置１０の広告再生機能を実行する都度、当該広告再生機能に含まれる切替演出効果準備処理に従い、その周辺環境に応じた最新最適な切替演出効果画像として生成される。
【００２６】
図４は、前記電子広告装置１０の広告再生機能に含まれる切替演出効果準備処理に従った切替演出効果画像の生成手順（一例）を示す図である。
【００２７】
例えば、図４（Ａ）に示すように、二色を規則的に配色可能な配色エリアｘ，ｙを設けてなる複数種類の切替効果パターンＰａ，Ｐｂ，…を用意する。次に、図４（Ｂ）に示すように、周辺の環境に１番多い色（Ａ色）に対する補色ＲＡと２番目に多い色（Ｂ色）に対する補色ＲＢとを、前記切替効果パターンＰａ，Ｐｂ，…の各配色エリアｘ，ｙに設定して複数種類の切替演出効果画像ＥＰａ，ＥＰｂ，…を生成する。そして、図４（Ｃ）に示すように、前記生成された切替演出効果画像ＥＰａ，ＥＰｂ，…に任意に追加した切替演出効果画像（動画）ＥＰｃ…も含めて、当該各切替演出効果画像ＥＰａ，ＥＰｂ，ＥＰｃ間で前記１番の補色ＲＡが多い順（周辺環境中で目立つ順）にＩＤ番号を設定する。こうして生成した複数の切替演出効果画像ＥＰａ，ＥＰｂ，ＥＰｃ，…が前記切替演出効果画像記憶領域２２ｅに記憶される。
【００２８】
前記無操作時間記憶領域２２ｆには、本装置１０の広告再生機能に従った広告再生期間において、前記Ｈ／Ｗキー１４による広告指定のキー入力が無い状態で且つ前記カメラ１５による撮影画像や前記人感センサ１６に基づき認識される人が居ない状態の継続時間が、当該広告再生への注目が無い無操作時間として計時されて記憶される。
【００２９】
図５は、前記電子広告装置１０の演出効果切替定義記憶領域２２ｇに記憶される切替演出効果画像切替定義フォーマットを示す図である。
【００３０】
前記演出効果切替定義記憶領域２２ｇには、前記広告動画記憶領域２２ｂに記憶された複数の広告動画の再生の切り替え時において、前記切替演出効果画像記憶領域２２ｅに記憶された複数の切替演出効果画像ＥＰａ，ＥＰｂ，ＥＰｃ，…の何れの演出効果画像ＥＰに切り替えるかを定義するフォーマットが、前記無操作時間を例えば５段階に分けたフラグレベル＜flag level=0;0〜14min＞＜flag level=1;15〜29min＞＜flag level=2;30〜59min＞＜flag level=3;60〜119min＞＜flag level=4;120min〜＞として記憶される。そして本実施形態では、前記無操作時間が長いほど前記各切替演出効果画像ＥＰ…のうち目立つ演出効果画像ＥＰに切り替わるように定義する。従って、前記flag level=4のときＩＤ＝１の切替演出効果画像ＥＰ、flag level=3のときＩＤ＝２の切替演出効果画像ＥＰ、flag level=2のときＩＤ＝３の切替演出効果画像ＥＰ、flag level=1のときＩＤ＝４の切替演出効果画像ＥＰ、flag level=0のときＩＤ＝５の切替演出効果画像ＥＰを再生する。
【００３１】
また、前記演出効果切替定義記憶領域２２ｇには、前記各切替演出効果画像ＥＰａ，ＥＰｂ，ＥＰｃ，…に共通の最大限度再生回数＜max_play 70＞が定義される。前記無操作時間のフラグレベル＜flag level=0〜4＞に応じて決定された切替演出効果画像ＥＰの再生回数が前記最大限度再生回数＜max_play 70＞を超える場合は、前記広告動画集客率記憶領域２２ｄに記憶された集客率の最も高い広告動画を当該切替演出効果画像として再生する。
【００３２】
前記演出効果画像再生回数記憶領域２２ｈには、前記切替演出効果画像記憶領域２２ｅに記憶された各切替演出効果画像ＥＰａ，ＥＰｂ，ＥＰｃ，…それぞれの再生回数が計数されて記憶される。
【００３３】
図６は、前記電子広告装置１０による広告動画の再生の流れを示す図である。
【００３４】
すなわち、この電子広告装置１０では、前記広告動画記憶領域２２ｂに記憶された複数の広告動画を、前記広告動画再生定義記憶領域２２ｃに定義された再生順に従い再生するのに伴い、当該各広告動画の切り替えの都度、前記切替演出効果画像記憶領域２２ｅに記憶された複数の切替演出効果画像ＥＰａ，ＥＰｂ，ＥＰｃ，…を、前記演出効果切替定義記憶領域２２ｇに定義された無操作時間のフラグレベル＜flag level=0〜4＞に応じて選択的に決定し再生する。
【００３５】
このように構成された電子広告装置１０は、前記ＣＰＵ２１が前記装置制御プログラム２２ａに記述された各種の処理の命令に従い回路各部の動作を制御し、ソフトウエアとハードウエアとが協働して動作することにより、以下の動作説明で述べる各種の機能を実現する。
【００３６】
次に、前記構成の電子広告装置１０の動作について説明する。
【００３７】
図７は、前記電子公告装置１０の広告再生処理を示すフローチャートである。
【００３８】
図８は、前記電子公告装置１０の広告再生処理に伴う切替演出効果準備処理を示すフローチャートである。
【００３９】
図９は、前記電子公告装置１０の広告再生処理に伴う切替演出効果ＩＤ取得処理を示すフローチャートである。
【００４０】
前記Ｈ／Ｗキー１４のユーザ操作に応じて広告再生の開始が指示されると、前記ＣＰＵ２１により、前記装置制御プログラム２２ａに従って、前記図７における広告再生処理が起動され、先ず、図８における切替演出効果準備処理が実行される（ステップＳＡ）。
【００４１】
この切替演出効果準備処理では、前記カメラ１５によりその周囲３６０度の環境が撮影され（ステップＡ１）、当該撮影された周期環境の画像の中から、１番多い色（Ａ色）と二番目に多い色（Ｂ色）が取得される（ステップＡ２，Ａ３）。
【００４２】
すると、図４（Ａ）で示したように、前記切替演出効果画像記憶領域２２ｅに予め用意された切替効果パターンＰａ，Ｐｂ，…それぞれの二色の配色エリアｘ，ｙに、図４（Ｂ）で示したように、前記周囲環境の画像から取得された１番多い色（Ａ色）に対する補色ＲＡと２番目に多い色（Ｂ色）に対する補色ＲＢが設定され、複数種類の切替演出効果画像ＥＰａ，ＥＰｂ，…が生成される（ステップＡ４）。
【００４３】
そして、図４（Ｃ）で示したように、前記生成された切替演出効果画像ＥＰａ，ＥＰｂ，…およびユーザによって任意に追加された切替演出効果画像（動画）ＥＰｃ…に対して、前記１番の補色ＲＡの割合が強い順にＩＤ番号が設定される（ステップＡ５）。
【００４４】
こうして、前記切替演出効果画像記憶領域２２ｅにＩＤ番号を対応付けた複数の切替演出効果画像ＥＰａ（ＩＤ＝３），ＥＰｂ（ＩＤ＝２），ＥＰｃ（ＩＤ＝１），…が準備されると、前記広告動画再生定義記憶領域２２ｃに定義された広告動画の再生順（図３参照）に従い、今回再生すべき広告動画のｉｄ番号（ここでは先頭の広告動画ｉｄ＝１）が取得される（ステップＳ１）。
【００４５】
すると、前記取得された広告動画ｉｄ＝１に対応する広告動画のデータが前記広告動画記憶領域２２ｂから読み出され、前記投影装置１３により前記表示部１２に投影されて再生される（ステップＳ２，Ｓ３）。
【００４６】
前記広告動画（ｉｄ＝１）の再生が終了すると（ステップＳ４）、前記広告動画再生定義記憶領域２２ｃに定義された広告動画の再生順（図３参照）に従い、次回再生すべき広告動画のｉｄ番号（ここでは広告動画ｉｄ＝２）が取得される（ステップＳ５）。
【００４７】
すると、前記無操作時間記憶領域２２ｆに記憶されている前記広告再生開始からの最新の無操作時間が取得され（ステップＳ６）、図９における切替演出効果ＩＤ取得処理が実行される（ステップＳＢ）。
【００４８】
この切替演出効果ＩＤ取得処理では、前記ステップＳ６にて取得された前記広告再生開始からの最新の無操作時間に対応して、前記演出効果切替定義記憶領域２２ｇに定義されたフラグレベル＜flag level＞（図５参照）が取得される（ステップＢ１，Ｂ２）。
【００４９】
すると、前記取得された無操作時間のフラグレベル＜flag level＞に応じた前記切替演出効果画像ＥＰのＩＤ番号が取得される（ステップＢ３）。
【００５０】
具体的には、前記無操作時間が２０分の場合、前記フラグレベル＜flag level=1＞となり前記切替演出効果画像ＩＤ（＝４）が取得される。
【００５１】
ここで、前記取得された切替演出効果画像ＩＤ（＝４）に対応付けられて前記切替演出効果画像記憶領域２２ｅに記憶されている切替演出効果画像ＥＰについて、前記演出効果画像再生回数記憶領域２２ｈに記憶されている前記広告再生開始からの再生回数が取得され、前記演出効果切替定義記憶領域２２ｇに定義された最大限度再生回数＜max_play 70＞以下か否か判断される（ステップＢ４）。
【００５２】
そして、前記切替演出効果画像ＩＤ（＝４）に対応する切替演出効果画像ＥＰの再生回数が、前記最大限度再生回数＜max_play 70＞以下であると判断された場合は（ステップＢ４（Ｙｅｓ））、当該画像ＩＤ（＝４）が今回の切替演出効果のための再生対象の画像ＩＤとして設定される。
【００５３】
また、前記画像ＩＤ（＝４）に対応する切替演出効果画像ＥＰの再生回数が、前記最大限度再生回数＜max_play 70＞を超えたと判断された場合は（ステップＢ４（Ｎｏ））、前記広告動画集客率記憶領域２２ｄに記憶された集客率の最も高い広告動画ｉｄが今回の切替演出効果のための再生対象の画像ＩＤとして設定される（ステップＢ５）。
【００５４】
すると、前記設定された画像ＩＤに対応する切替演出効果画像ＥＰ（又は広告動画）が前記切替演出効果画像記憶領域２２ｅ（又は広告動画記憶領域２２ｂ）から読み出され、前記投影装置１３により前記表示部１２に投影されて再生される（ステップＳ７）。
【００５５】
そして、前記切替演出効果のための画像ＩＤに対応した切替演出効果画像ＥＰ（又は広告動画）の再生が終了すると（ステップＳ８）、前記Ｈ／Ｗキー１４のユーザ操作等により広告再生の終了が指示されているか否か判断され（ステップＳ９）、当該終了の指示がないと判断された場合は（ステップＳ９（Ｎｏ））、前記ステップＳ５において取得された次回再生すべき広告動画ｉｄ（＝２）に従い、当該広告動画ｉｄに対応する広告動画のデータが前記広告動画記憶領域２２ｂから読み出されて再生開始される（ステップＳ２，Ｓ３）。
【００５６】
この後、前記同様に、前記広告動画再生定義記憶領域２２ｃに定義された広告動画の再生順（図３参照）に従い、前記広告動画記憶領域２２ｂに記憶されている各広告動画が順番に再生されるのに伴い、当該個々の広告動画の切り替えの際には、前記演出効果切替定義記憶領域２２ｇに定義された無操作時間のフラグレベルに＜flag level＞従い、前記無操作時間記憶領域２２ｆに記憶されている最新の無操作時間に応じて前記切替演出効果画像記憶領域２２ｅに記憶されている切替演出効果画像ＥＰが設定されて再生される（ステップＳ２〜Ｓ９）。
【００５７】
したがって、前記構成の電子広告装置１０による広告再生機能によれば、前記広告動画記憶領域２２ｂに記憶されている複数の広告動画（ｉｄ＝１，２，…）を、前記広告動画再生定義記憶領域２２ｃに記憶された広告動画再生順の定義に従って前記投影装置１３から表示部１２に投影して再生する。これと共に、前記各広告動画の再生を切り替える際に、周囲環境に対し補色割合の強い目立つ順番でＩＤ番号が設定されて前記切替演出効果画像記憶領域２２ｅに記憶された複数種類の切替演出効果画像ＥＰ…（ＩＤ＝１，２，…）の中から、前記無操作時間記憶領域２２ｆに計時されて記憶される前記広告動画再生開始からの無操作時間（装置本体１１の周囲に人物が検出されない時間）が長いほど前記目立つ方の画像ＩＤを設定し該当する種類の切替演出効果画像ＥＰを再生する。
【００５８】
これにより、前記再生される各広告動画の切り替えのタイミングにおいて、その直前の装置本体１１の周囲に人物が検出されない、つまり当該広告動画に注目のない無操作時間が長いほど、周囲環境に照らして目立つ切替演出効果画像ＥＰが再生されるので、当該広告動画に対する視聴者の注目度を向上させることが可能になる。
【００５９】
また、前記構成の電子広告装置１０による広告再生機能によれば、前記複数種類の切替演出効果画像ＥＰ…は、３６０°カメラ１５により撮影された周辺環境の画像から１番多い色（Ａ色）と２番目に多い色（Ｂ色）を取得し、当該１番多い色（Ａ色）に対する補色ＲＡと２番目に多い色（Ｂ色）に対する補色ＲＢを、予め用意された切替効果パターンＰａ，Ｐｂ，…の二色の配色エリアｘ，ｙに設定して生成する。
【００６０】
これにより、本電子公告装置１０の置き場所に応じて、その場所の周囲環境に照らして目立つ最適な切替演出効果画像ＥＰ…を生成することができ、装置本体１１の設置場所に関わらず、前記広告動画に対する視聴者の注目度を向上させることが可能になる。
【００６１】
さらに、前記構成の電子広告装置１０による広告再生機能によれば、前記無操作時間は、前記Ｈ／Ｗキー１４による広告指定のキー入力が無い状態で且つ前記カメラ１５による周囲環境の撮影画像や前記人感センサ１６に基づき認識される人が居ない状態の継続時間を、前記広告動画再生への注目が無い無操作時間として計時する。
【００６２】
これにより、前記広告動画再生への注目が無い無操作時間を適切に得ることができ、当該注目が無い無操作時間によって最適な目立ち度合いの前記切替演出効果画像ＥＰを設定して、前記広告動画に対する視聴者の注目度を向上させることが可能になる。
【００６３】
なお、前記実施形態では、前記装置本体１１の周囲に人が居ない状態の継続時間として計時した無操作時間の長さに応じて、当該無操作時間が長いほど前記複数の切替演出効果画像ＥＰ…うち周囲環境に照らして目立ち度が高い切替演出効果画像ＥＰを設定して再生する構成とした。これに対し、前記３６０°カメラ１５による周囲環境の画像データや前記人感センサ１６による検出データに基づいて、前記装置本体１１からその周辺に居る人物までの距離を取得し、当該人物までの距離が遠いほど前記複数の切替演出効果画像ＥＰ…うち周囲環境に照らして目立ち度が高い切替演出効果画像ＥＰを設定して再生する構成としてもよい。これによれば、前記実施形態同様に、前記広告動画に対する視聴者の注目度を向上させることが可能になる。
また、前記実施形態では、切替演出画像を生成したが、これに限らず、予め記憶された切替演出画像の中から選択してもよい。
また、前記実施形態では、電子広告装置１０によって広告動画を再生したが、これに限らず、音声などでもよく、更に広告動画や音声以外のコンテンツでも良い。
更に、切替の演出は、音などでもよく画像に限らない。
【００６４】
前記各実施形態において記載した電子公告装置１０による各処理の手法およびデータベース、すなわち、図７のフローチャートに示す広告再生処理、図８のフローチャートに示す前記広告再生処理に伴う切替演出効果準備処理、図９のフローチャートに示す前記広告再生処理に伴う切替演出効果ＩＤ取得処理等の各手法、および前記広告動画記憶領域２２ｂに記憶される広告動画のデータ、前記広告動画再生定義記憶領域２２ｃに記憶される広告動画再生順定義フォーマット、前記演出効果切替定義記憶領域２２ｇに記憶される切替演出効果画像切替定義フォーマット等のデータベースは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体（２３）に格納して配布することができる。そして、周囲環境の認識機器（１５，１６）や表示部（１２）を備えた電子機器のコンピュータ（２１）は、この外部記憶装置の媒体（２３）に記憶されたプログラムを記憶装置（２２）に読み込み、この読み込んだプログラムによって動作が制御されることにより、前記各実施形態において説明した切替演出効果付きの広告再生機能を実現し、前述した手法による同様の処理を実行することができる。
【００６５】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを周囲環境の認識機器（１５，１６）や表示部（１２）を備えた電子機器に取り込んで記憶装置（２２）に記憶させ、前述した切替演出効果付きの広告再生機能を実現することもできる。
【００６６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６７】
以下に、本願出願の当初の特許請求の範囲に記載された発明を付記する。
【００６８】
［１］
コンテンツを出力させるコンテンツ出力手段と、
人の存在状態を検出する人状態検出手段と、
前記コンテンツ出力手段により出力させるコンテンツを切り替える際に、前記人状態検出手段による人の存在状態の検出結果に基づいて、コンテンツ切替演出を制御する演出制御手段と、
を備えたことを特徴とする情報出力装置。
【００６９】
［２］
前記演出制御手段は、
周辺環境に対し注目度の高い複数の演出画像を生成する演出画像生成手段を有し、
前記コンテンツ出力手段により出力させるコンテンツを切り替える際に、前記演出画像生成手段により生成された複数の演出画像の中から前記人状態検出手段による人の存在状態の検出結果に応じた演出画像を選択して表示させる、
ことを特徴とする［１］に記載の情報出力装置。
【００７０】
［３］
前記演出制御手段は、
前記演出画像生成手段により生成された複数の演出画像についてその注目度の高さで順位を設定する注目順位設定手段を有し、
前記コンテンツ出力手段により出力させるコンテンツを切り替える際に、前記演出画像生成手段により生成された複数の演出画像の中から前記人状態検出手段により検出された人の存在度合いが少ないほど前記注目順位設定手段により設定された注目度の順位が高い演出画像を選択して表示させる、
ことを特徴とする［２］に記載の情報出力装置。
【００７１】
［４］
前記演出画像生成手段は、周辺環境の撮影画像から取得された割合の多い色に対する補色を配色して注目度の高い複数の演出画像を生成する、
ことを特徴とする［２］または［３］に記載の情報出力装置。
【００７２】
［５］
前記人状態検出手段は、人の存在度合いを当該人の居ない時間の長さとして検出する無人時間検出手段であって、
前記演出制御手段は、
前記コンテンツ出力手段により出力させるコンテンツを切り替える際に、前記演出画像生成手段により生成された複数の演出画像の中から前記無人時間検出手段により検出された人の居ない時間の長さが長いほど前記注目順位設定手段により設定された注目度の順位が高い演出画像を選択して表示させる、
ことを特徴とする［３］または［４］に記載の情報出力装置。
【００７３】
［６］
前記人状態検出手段は、人の存在度合いを当該人の存在する距離として検出する人存在距離検出手段であって、
前記演出制御手段は、
前記コンテンツ出力手段により出力させるコンテンツを切り替える際に、前記演出画像生成手段により生成された複数の演出画像の中から前記人存在距離検出手段により検出された人の存在する距離が遠いほど前記注目順位設定手段により設定された注目度の順位が高い演出画像を選択して表示させる、
ことを特徴とする［３］または［４］に記載の情報出力装置。
【００７４】
［７］
複数のコンテンツ切替演出を記憶する記憶手段と、
を備え、
前記演出制御手段は、前記人状態検出手段による人の存在状態の検出結果に基づいて、前記複数のコンテンツ切替演出の中から選択する、
ことを特徴とする請求項１に記載の情報出力装置。
【００７５】
［８］
出力手段と人の存在状態を検出する人状態検出手段とを備えた電子機器のコンピュータを制御するための方法であって、
前記出力手段によりコンテンツを出力させるコンテンツ出力手段により当該出力させるコンテンツを切り替える際に、前記人状態検出手段による人の存在状態の検出結果に基づいて、コンテンツ切替演出を制御する、
ことを特徴とする情報出力方法。
【００７６】
［９］
出力手段と人の存在状態を検出する人状態検出手段とを備えた電子機器のコンピュータを制御するためのプログラムであって、
前記コンピュータを、
前記出力手段によりコンテンツを出力させるコンテンツ出力手段、
前記コンテンツ出力手段により出力させるコンテンツを切り替える際に、前記人状態検出手段による人の存在状態の検出結果に基づいて、コンテンツ切替演出を制御する演出制御手段、
として機能させるためのプログラム。
【符号の説明】
【００７７】
１０  …電子広告装置
１１  …装置本体
１２  …表示部
１３  …投影装置
１４  …Ｈ／Ｗキー
１５  …カメラ
１６  …人感センサ
２１  …ＣＰＵ
２２  …記憶部
２２ａ…装置制御プログラム
２２ｂ…広告動画記憶領域
２２ｃ…広告動画再生定義記憶領域
２２ｄ…広告動画集客率記憶領域
２２ｅ…切替演出効果画像記憶領域
２２ｆ…無操作時間記憶領域
２２ｇ…演出効果切替定義記憶領域
２２ｈ…演出効果画像再生回数記憶領域
２３  …外部記録媒体
２４  …記録媒体読取部
２５  …通信部
２６  …入力部
ＥＰａ，ＥＰｂ，ＥＰｃ…切替演出効果画像
【図１】
0006539966.tif 000002
【図２】
0006539966.tif 000003
【図３】
0006539966.tif 000004
【図４】
0006539966.tif 000005
【図５】
0006539966.tif 000006
【図６】
0006539966.tif 000007
【図７】
0006539966.tif 000008
【図８】
0006539966.tif 000009
【図９】
0006539966.tif 000010